(57)【要約】【課題】ロータの回転強度を向上させつつ、磁石トルク及びリラクタンストルクの向上可能な回転電機のロータを提供する。【解決手段】回転電機のロータ１０は、ロータコア３０と、該ロータコア３０と一体に回転するロータシャフト２０と、を備える。ロータコア３０には、周方向に複数設けられ、ロータコア３０の内部を軸方向に延びる磁石挿入孔３２と、周方向に複数設けられ、ロータコア３０の内部を軸方向に延びる貫通孔３３と、が設けられる。磁石挿入孔３２には、磁石３５が配置され、貫通孔３３には、強度ピン７０が配置されている。【選択図】図４
2019161953.tif 000002
【特許請求の範囲】
【請求項１】
ロータコアと、
該ロータコアと一体に回転するロータシャフトと、を備える、回転電機のロータであって、
前記ロータコアには、
周方向に複数設けられ、前記ロータコアの内部を軸方向に延びる磁石挿入孔と、
周方向に複数設けられ、前記ロータコアの内部を軸方向に延びる貫通孔と、が設けられ、
前記磁石挿入孔には、磁石が配置され、
前記貫通孔には、強度ピンが配置されている、回転電機のロータ。
【請求項２】
請求項１に記載の回転電機のロータであって、
前記ロータは、周方向に複数の磁極部が設けられ、
各磁極部は、一対の前記磁石により構成され、
１つの前記磁極部を構成する前記一対の磁石は、一つの前記磁石挿入孔に設けられている、回転電機のロータ。
【請求項３】
請求項１又は２に記載の回転電機のロータであって、
前記ロータコアの両端部には一対のエンドプレートが設けられ、
前記強度ピンは、前記一対のエンドプレートに固定されている、回転電機のロータ。
【請求項４】
請求項１〜３のいずれか１項に記載の回転電機のロータであって、
前記強度ピンは、前記磁石の外周側に配置されている、回転電機のロータ。
【請求項５】
請求項１〜４のいずれか１項に記載の回転電機のロータであって、
前記強度ピンは、各磁極部に対し一対設けられ、
該一対の強度ピンは、前記磁極部の中心に対し対称に配置されている、回転電機のロータ。
【発明の詳細な説明】
【技術分野】
【０００１】
本発明は、電動車両などに搭載される回転電機のロータに関する。
【背景技術】
【０００２】
近年、ハイブリッド車両やＥＶ車両の駆動源として用いられる回転電機において、高回転化や高出力化が要望されている。回転電機の高回転化に伴って、回転電機のロータが軸方向に長くなる傾向がある。ロータには磁石が埋設されているため、磁石に作用する遠心力によりロータコアには外径側に広がるように応力が作用する。したがって回転電機の高回転化により、ロータコアに強度が必要になる。
【０００３】
図７に示すように、特許文献１に記載の永久磁石式回転電機のロータコア１００は、ブリッジ部１０１を挟んで設けられた一対の磁石挿入孔１０２に、それぞれ永久磁石１０３を配置して１つの磁極部１０４を構成している。ロータコア１００では、一対の磁石挿入孔１０２間のブリッジ部１０１によって回転強度が維持されている。
【先行技術文献】
【特許文献】
【０００４】
【特許文献１】特開２０１３−８１３０２号公報
【発明の概要】
【発明が解決しようとする課題】
【０００５】
しかしながら、特許文献１では、ロータコア１００の強度を維持するためのブリッジ部１０１を介して磁石磁束の漏れが生じて磁石磁束の有効利用ができず、モータトルクが低下するという課題があった。
【０００６】
本発明は、ロータの回転強度を向上させつつ、磁石トルク及びリラクタンストルクの向上可能な回転電機のロータを提供する。
【課題を解決するための手段】
【０００７】
本発明は、
ロータコアと、
該ロータコアと一体に回転するロータシャフトと、を備える、回転電機のロータであって、
前記ロータコアには、
周方向に複数設けられ、前記ロータコアの内部を軸方向に延びる磁石挿入孔と、
周方向に複数設けられ、前記ロータコアの内部を軸方向に延びる貫通孔と、が設けられ、
前記磁石挿入孔には、磁石が配置され、
前記貫通孔には、強度ピンが配置されている。
【発明の効果】
【０００８】
本発明によれば、ロータコアに設けられた貫通孔に強度ピンが配置されることで、複数の強度ピンがロータコアを軸方向に貫通するため、ロータの回転により磁石に遠心力が作用した場合でもロータが変形するのを抑制できる。これにより、ロータの回転強度と磁束通路を分けて設定できるので、磁石トルク及びリラクタンストルクを向上させることができる。
【図面の簡単な説明】
【０００９】
【図１】本発明の一実施形態の回転電機のロータの斜視図である。
【図２】図１のＡ−Ａ線断面図である。
【図３】図１の回転電機のロータからロータコアを外して示す斜視図である。
【図４】図１の回転電機のロータから一対のエンドプレートを外して示す斜視図である。
【図５】ロータコアの正面図である。
【図６】図５のロータコアの要部拡大図である。
【図７】特許文献１のロータコアの要部拡大図である。
【発明を実施するための形態】
【００１０】
以下、本発明の回転電機のロータの一実施形態を、添付図面に基づいて説明する。
【００１１】
図１及び図２に示すように、本実施形態の回転電機のロータ１０は、ロータシャフト２０と、ロータシャフト２０に軸支されるロータコア３０と、ロータコア３０の軸方向の一側に配置される第一エンドプレート５０と、ロータコア３０の軸方向の他側に配置される第二エンドプレート６０と、複数の強度ピン７０と、を備える。
【００１２】
ロータシャフト２０は、その中心部に軸方向孔２１が形成され、一端部（図２において左側端部）に位置決め部２２が形成されている。
【００１３】
図４及び図５も参照して、ロータコア３０は、複数の円環状の電磁鋼板が積層されることで構成され、その中央に軸方向に貫通するロータ挿通孔３１が形成されている。ロータ挿通孔３１には、ロータシャフト２０が圧入固定される。
【００１４】
ロータコア３０は、軸方向に延びる複数の磁石挿入孔３２と、軸方向に延びる複数の貫通孔３３と、が周方向に所定のパターンで設けられている。磁石挿入孔３２は、ロータコア３０の外径側に向かって開く略Ｖ字形に形成される。磁石挿入孔３２の周方向中心には、外径側に向かって延びる溝部３４が、磁石挿入孔３２に連続して形成されている。また、磁石挿入孔３２より内径側には、軽量化のため断面略五角形の軸方向孔３７がロータコア３０の内部に軸方向に貫通して設けられている。
【００１５】
複数の磁石挿入孔３２には、それぞれ磁石３５が配置されている。一つの磁石挿入孔３２に配置された一対の磁石３５は、一つの磁極部３６を構成する。即ち、ロータコア３０は、磁石挿入孔３２と同数の磁極部３６が周方向に所定の間隔で設けられている。
【００１６】
複数の貫通孔３３は、磁石挿入孔３２より外径側の同径位置（同一の円周上）に設けられている。また、貫通孔３３は、一つの磁石挿入孔３２、即ち、一つの磁極部３６の中心Ｃ（図６参照）に対して対称に配置される。また、貫通孔３３は、隣り合う磁石挿入孔３２間、即ち、一つの磁極部３６間にも一つ設けられている。
【００１７】
図３に示すように、ロータコア３０を挟むように配置された第一エンドプレート５０及び第二エンドプレート６０は、その中央にロータシャフト孔５１、６１が形成される。また、外径側には、ロータコア３０の複数の貫通孔３３に対応して複数の貫通孔５２、６２が形成されている。
【００１８】
第一エンドプレート５０及び第二エンドプレート６０は、両エンドプレート５０、６０間にロータコア３０を挟んだ状態で、ロータシャフト２０が第一エンドプレート５０のロータシャフト孔５１、ロータコア３０のロータ挿通孔３１、及び第二エンドプレート６０のロータシャフト孔６１に挿入され、第二エンドプレート６０がロータシャフト２０の位置決め部２２に当接する（図２参照）。
【００１９】
第一エンドプレート５０の貫通孔５２、ロータコア３０の貫通孔３３、及び第二エンドプレート６０の貫通孔６２には、強度ピン７０が挿通される。強度ピン７０の両端は、第一エンドプレート５０及び第二エンドプレート６０に加締めや溶接により固定されている。
【００２０】
図６に示すように、本実施形態のロータコア３０は、従来、回転強度確保のために設けられていたブリッジ部１０１（図７参照）を備えず、ブリッジ部１０１が設けられていた部分には、磁石挿入孔３２から外径側に向かって延びる溝部３４が形成されている。溝部３４内の空気層は、ｄ軸のリラクタンストルクＬｄを低減する低減用磁気シールドとして作用する。
【００２１】
ｄ軸のリラクタンストルクＬｄを最小にすることで、突極比を最大化することができ、これにより回転電機の発生トルクを最大化することができる。さらに、本実施形態のロータコア３０には、ブリッジ部１０１がないので、図７の矢印で示す、ブリッジ部１０１を介して永久磁石１０３を回り込む磁束漏れを防止できる。
【００２２】
また、磁石挿入孔３２より外径側に設けられた複数の貫通孔３３には、両端が第一及び第二エンドプレート５０、６０で保持された強度ピン７０がそれぞれ挿通されている。従って、回転に伴って磁石３５に作用する遠心力は、ロータコア３０を外径方向に変形させる力として作用するが、該遠心力は強度ピン７０によって受けられる。これにより、ブリッジ部１０１がなくてもロータコア３０の回転強度が低下することはなく、ロータコア３０の変形が抑制される。また、強度ピン７０は、磁極部３６の中心Ｃに対して周方向対称に配置されるため、回転時に発生するロータコア３０のアンバランスも防止できる。
【００２３】
このように、ロータコア３０の回転強度向上策と、磁気特性の向上策が、それぞれ個別に実施可能であり、設計の自由度が向上する。従って、本実施形態によれば、ロータコア３０の回転強度を向上させつつ、磁石トルク及びリラクタンストルクの向上を図ることができる。
【００２４】
なお、前述した実施形態は、適宜、変形、改良、等が可能である。例えば、上記実施形態では、一つの磁石挿入孔３２に配置された一対の磁石３５によって一つの磁極部３６を構成したが、ブリッジ部を備えるものであってもよい。即ち、ブリッジ部を挟んで設けられた一対の磁石挿入孔に配置された一対の磁石によって一つの磁極部を構成するものでもよい。さらに、一つの磁極部は、一つの磁石によって構成されてもよく、三つ以上の磁石によって構成されてもよい。
【００２５】
また、本明細書には少なくとも以下の事項が記載されている。なお、括弧内には、上記した実施形態において対応する構成要素等を示しているが、これに限定されるものではない。
【００２６】
（１）  ロータコア（ロータコア３０）と、
該ロータコアと一体に回転するロータシャフト（ロータシャフト２０）と、を備える、回転電機のロータ（回転電機のロータ１０）であって、
前記ロータコアには、
周方向に複数設けられ、前記ロータコアの内部を軸方向に延びる磁石挿入孔（磁石挿入孔３２）と、
周方向に複数設けられ、前記ロータコアの内部を軸方向に延びる貫通孔（貫通孔３３）と、が設けられ、
前記磁石挿入孔には、磁石（磁石３５）が配置され、
前記貫通孔には、強度ピン（強度ピン７０）が配置されている、回転電機のロータ。
【００２７】
（１）によれば、ロータコアに設けられた貫通孔に強度ピンが配置されることで、複数の強度ピンがロータコアを軸方向に貫通するため、ロータの回転により磁石に遠心力が作用した場合でもロータが変形するのを抑制できる。これにより、ロータの回転強度と磁気特性を分けて設定できるので、磁石トルク及びリラクタンストルクを向上させることができる。
【００２８】
（２）  （１）に記載の回転電機のロータであって、
前記ロータは、周方向に複数の磁極部（磁極部３６）が設けられ、
各磁極部は、一対の前記磁石により構成され、
１つの前記磁極部を構成する前記一対の磁石は、一つの前記磁石挿入孔に設けられている、回転電機のロータ。
【００２９】
（２）によれば、１つの磁極部を構成する一対の磁石は一つの磁石挿入孔に設けられているので、一対の磁石間にブリッジ部が不要になる。即ち、ロータコアは強度ピンによって強度が確保されるためブリッジ部がなくてもロータコアの変形が抑制される。また、ブリッジ部を不要とすることで、ブリッジ部を介した磁束漏れを防止でき、磁石磁束を有効に利用できる。これにより、回転電機の出力が向上する。
【００３０】
（３）  （１）又は（２）に記載の回転電機のロータであって、
前記ロータコアの両端部には一対のエンドプレート（エンドプレート５０、６０）が設けられ、
前記強度ピンは、前記一対のエンドプレートに固定されている、回転電機のロータ。
【００３１】
（３）によれば、エンドプレートを強度ピンの支持部として利用することができる。
【００３２】
（４）  （１）〜（３）のいずれかに記載の回転電機のロータであって、
前記強度ピンは、前記磁石の外周側に配置されている、回転電機のロータ。
【００３３】
（４）によれば、強度ピンは磁石の外周側に配置されているので、ロータの回転により磁石に遠心力が作用した場合でもロータが変形するのを効果的に抑制できる。
【００３４】
（５）  （１）〜（４）のいずれかに記載の回転電機のロータであって、
前記強度ピンは、各磁極部に対し一対設けられ、
該一対の強度ピンは、前記磁極部の中心（磁極部の中心Ｃ）に対し対称に配置されている、回転電機のロータ。
【００３５】
（５）によれば、ロータコアにアンバランスが発生するのを防止できる。
【符号の説明】
【００３６】
１０    回転電機のロータ
２０    ロータシャフト
３０    ロータコア
３２    磁石挿入孔
３３    貫通孔
３５    磁石
３６    磁極部
５０    第一エンドプレート（エンドプレート）
６０    第二エンドプレート（エンドプレート）
７０    強度ピン
Ｃ      磁極部の中心
【図１】
2019161953.tif 000003
【図２】
2019161953.tif 000004
【図３】
2019161953.tif 000005
【図４】
2019161953.tif 000006
【図５】
2019161953.tif 000007
【図６】
2019161953.tif 000008
【図７】
2019161953.tif 000009